(57)【特許請求の範囲】
【請求項１】
画像形成装置であって、
他の装置からファクシミリ送信されたデータを受信する受信手段と、
前記画像形成装置がメモリ受信モードに設定されている間、前記受信手段により受信したデータをユーザからの指示があるまで印刷せずにメモリに記憶する記憶制御手段と、
前記メモリ受信モードに設定されている間に前記メモリに記憶された前記データを、前記メモリ受信モードを解除するための指示をユーザから受け付けたことに従って出力すべき出力先を、前記画像形成装置の印刷部を含む複数の出力先からユーザに選択させるための選択画面を表示する表示手段と、
前記メモリ受信モードを解除するための指示をユーザから受け付けたことに従って、前記選択画面に表示された出力先の中からユーザによって選択された出力先に前記メモリに記憶されたデータを出力するように制御する制御手段と、
を有することを特徴とする画像形成装置。
【請求項２】
前記制御手段による、前記選択された出力先への前記データの出力が完了するのに応じて、前記メモリ受信モードを解除する解除手段を更に有することを特徴とする請求項１記載の画像形成装置。
【請求項３】
前記制御手段は、前記メモリ受信モードを解除するための指示をユーザから受け付け、前記表示手段によって前記選択画面が表示され、当該選択画面に表示された前記複数の出力先の中から出力先がユーザによって選択されたことに従って、当該選択された出力先に前記メモリに記憶されたデータを出力するように制御することを特徴とする請求項１又は２記載の画像形成装置。
【請求項４】
前記記憶制御手段は、ファクシミリ受信した複数のデータを前記メモリに記憶し、
前記制御手段は、前記メモリ受信モードを解除するための指示をユーザから受け付けたことに従って、前記選択画面に表示された出力先の中からユーザによって選択された出力先に前記複数のデータを出力するように制御することを特徴とする請求項１又は２記載の画像形成装置。
【請求項５】
前記記憶制御手段は、ファクシミリ受信した複数のデータを前記メモリに記憶し、
前記表示手段は、前記メモリに記憶された前記複数のデータのそれぞれの出力先を前記複数の出力先からユーザに選択させるための選択画面を表示し、
前記制御手段は、前記メモリ受信モードを解除するための指示をユーザから受け付けたことに従って、前記選択画面に表示された出力先の中からユーザによって選択されたそれぞれの出力先に前記メモリに記憶された複数のデータのそれぞれを出力するように制御することを特徴とする請求項１又は２記載の画像形成装置。
【請求項６】
前記画像形成装置が前記データを出力可能な出力先を判定する判定手段を更に有し、
前記表示手段は、前記判定手段が出力可能であると判定した出力先を、前記選択画面において選択可能に表示することを特徴とする請求項１から５のいずれか１項に記載の画像形成装置。
【請求項７】
前記複数の出力先は、さらに、外部の情報処理装置を含むことを特徴とする請求項１から６のいずれか１項に記載の画像形成装置。
【請求項８】
前記複数の出力先は、さらに、前記画像形成装置に接続された外部メモリを含むことを特徴とする請求項１から７のいずれか１項に記載の画像形成装置。
【請求項９】
画像形成装置の制御方法であって、
他の装置からファクシミリ送信されたデータを受信する受信ステップと、
前記画像形成装置がメモリ受信モードに設定されている間、前記受信ステップにおいて受信したデータをユーザからの指示があるまで印刷せずにメモリに記憶する記憶制御ステップと、
前記メモリ受信モードに設定されている間に前記メモリに記憶された前記データを、前記メモリ受信モードを解除するための指示をユーザから受け付けたことに従って出力すべき出力先を、前記画像形成装置の印刷部を含む複数の出力先からユーザに選択させるための選択画面を表示する表示ステップと、
前記メモリ受信モードを解除するための指示をユーザから受け付けたことに従って、前記選択画面に表示された出力先の中からユーザによって選択された出力先に前記メモリに記憶されたデータを出力するように制御する制御ステップと、
を有することを特徴とする画像形成装置の制御方法。
【請求項１０】
請求項９記載の制御方法の各ステップをコンピュータに実行させるためのプログラム。
【発明の詳細な説明】
【技術分野】
【０００１】
本発明は、ファクシミリ受信機能を有する画像形成装置と、その制御方法及びプログラムに関する。
【背景技術】
【０００２】
近年、コンパクトなサイズの画像形成装置の分野では、コスト競争が激しいだけでなく、更なる小型化かつ高機能が求められている。また、パーソナルコンピュータ（ＰＣ）やネットワークが広く普及しているため、ＰＣと画像形成装置とが連携して、より利便性の高い機能を提供することが検討されている。例えばファクシミリ機能を内蔵した画像形成装置にＰＣから画像データを送付し、その画像形成装置がその画像データをファクシミリ画像としてＦＡＸ回線に送信できるものもある。また、逆に、画像形成装置がファクシミリ回線より受信した画像データをＰＣに送信し、ＰＣではその画像データを印刷せずに利用する機能もある。
【０００３】
例えば、特許文献１では、受信したファクシミリデータがＰＣへ転送されずに未転送となった場合に、記憶されている未転送データの数（その現在時刻と日付）をディスプレイに表示することが記載されている。この文献によれば、受信データの中から、ユーザが選択したデータだけがＰＣへ転送可能であり、不必要なデータをプリントしないように指定することが出来る。
【０００４】
特許文献１は、ファクシミリ受信画像を印刷しないドライバをＰＣにインストールする。そして専用のドライバを起動すると、画像形成装置はポーリングによって、そのドライバがインストールされているＰＣを捜索することが可能となる。ＰＣ側のドライバの設定としては、ファクシミリデータの保存先、保存データの格納フォーマットの指定があり、ファクシミリデータの受信を検知するとタスクバー上に表示されているアイコンが点滅することで、ユーザに受信データの有無を通知する。
【０００５】
本実施形態に係る、受信したファクシミリ画像をＰＣに送信するＦＡＸ機能も、特許文献１と同様に、ＰＣでは、このＦＡＸ機能専用のドライバを使用する。
【先行技術文献】
【特許文献】
【０００６】
【特許文献１】特開２００６−０４１９１０号公報
【発明の概要】
【発明が解決しようとする課題】
【０００７】
従来のファクシミリ機能には、強制メモリ受信（強制代行受信）という機能がある。この強制メモリ受信とは、受信画像の自動印刷を禁止する機能であり、出力レポート（受信結果）の印刷も禁止される。
【０００８】
この強制メモリ受信モードでは、全てのファクシミリ受信データがメモリに蓄積され、強制メモリ受信モードが解除されると、受信画像及びレポートが自動的に印刷される。この機能は、例えば、夜間に受信したファクシミリ画像を印刷したくない場合等に使用され、必要な時に印刷することを可能にしている。
【０００９】
強制メモリ受信モードが解除されると、その受信モードの間にメモリに蓄積されたデータは全てプリントアウトされる。この際、蓄積されているデータの出力先を任意に指定できないため、その出力先で例えば、用紙なし、トナーなし等のエラーが発生していると、強制メモリ受信モードを解除できない。通常のファクシミリ受信モードの場合は、複数の出力先を指定できるのに対して、強制メモリ受信モードでは、受信データの出力先が固定されてしまう。
【００１０】
廉価な画像形成装置では、メモリ容量が少ないため受信可能なファクシミリのジョブ数が制限されており、最大受信ジョブ数を超えると新規のファクシミリ受信データは受け付けない（ファクシミリが繋がらない）。このため、強制メモリ受信モードを解除できないと、ファクシミリの受信に支障をきたす恐れがある。更に、受信したファクシミリデータは揮発性のＲＡＭに保存されるため、電源のＯＦＦ／ＯＮによりデータが消失してしまう。
【００１１】
本発明の目的は、上記従来技術の問題点を解決することにある。
【００１２】
本願発明の特徴は、メモリ受信モードに設定されている間にメモリに記憶されたデータを、メモリ受信モードを解除するための指示をユーザから受け付けたことに従って出力すべき出力先を、画像形成装置の印刷部を含む複数の出力先からユーザに選択させることにある。
【課題を解決するための手段】
【００１４】
上記目的を達成するために本発明の一態様に係る画像形成装置は以下のような構成を備える。即ち、
他の装置からファクシミリ送信されたデータを受信する受信手段と、
前記画像形成装置がメモリ受信モードに設定されている間、前記受信手段により受信したデータをユーザからの指示があるまで印刷せずにメモリに記憶する記憶制御手段と、
前記メモリ受信モードに設定されている間に前記メモリに記憶された前記データを、前記メモリ受信モードを解除するための指示をユーザから受け付けたことに従って出力すべき出力先を、前記画像形成装置の印刷部を含む複数の出力先からユーザに選択させるための選択画面を表示する表示手段と、
前記メモリ受信モードを解除するための指示をユーザから受け付けたことに従って、前記選択画面に表示された出力先の中からユーザによって選択された出力先に前記メモリに記憶されたデータを出力するように制御する制御手段と、
を有することを特徴とする。
【発明の効果】
【００１５】
本発明によれば、メモリ受信モードに設定されている間にメモリに記憶されたデータを、メモリ受信モードを解除するための指示をユーザから受け付けたことに従って出力すべき出力先を、画像形成装置の印刷部を含む複数の出力先からユーザに選択させることができる。
【図面の簡単な説明】
【００１７】
【図１】実施形態１に係る画像形成装置のハードウェア構成を示すブロック図。
【図２】実施形態１に係る画像形成装置の操作パネルの上面図。
【図３】操作パネルの表示部に表示されるＦＡＸ機能の画面の例を示す図。
【図４】画像形成装置における通信管理設定のための画面例を示す図。
【図５】メモリ受信設定の画面例を示す図。
【図６】実施形態に係るメモリ受信モードの解除時の画面例を示す図。
【図７】図６に対応したメモリ受信モード解除時のポップアップ画面例を示す図。
【図８】実施形態に係る画像形成装置において、受信したＦＡＸをＰＣに転送するモードを設定する処理を説明するフローチャート。
【図９】本実施形態に係る画像形成装置におけるメモリ受信を設定する処理を説明するフローチャート。
【図１０】本実施形態に係る画像形成装置におけるファクシミリ受信処理を説明するフローチャート。
【図１１】画像形成装置による画像出力処理を説明するフローチャート。
【図１２】本実施形態に係るＰＣの処理を説明するフローチャート。
【図１３】実施形態１に係る画像形成装置において、ユーザがメモリ受信モードを解除するように指示した場合の処理を説明するフローチャート。
【図１４】実施形態２に係る画像形成装置において、ユーザがメモリ受信モードを解除するように指示した場合の処理を説明するフローチャート。
【図１５】実施形態２において、操作パネルに表示される画面例を説明する図。
【図１６】図１４のＳ１４０３のステータスチェックに基づく操作パネルへの表示例を説明する図。
【発明を実施するための形態】
【００１８】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１９】
図１は、本発明の実施形態１に係る画像形成装置１００のハードウェア構成を示すブロック図である。各ブロックはモジュールを示しており、ブロック間の矢印は、データもしくは指示の流れを示している。
【００２０】
画像形成装置１００は、印刷部１０７、読取部１０９、操作パネル１１０、回線Ｉ／Ｆ１１２、及び、これらの制御を司るコントローラ部１０１を有している。コントローラ部１０１は、ＣＰＵ１０２，ＲＡＭ１０３，ＲＯＭ１０４、印刷部Ｉ／Ｆ１０６、読取部Ｉ／Ｆ１０８、ＭＯＤＥＭ１１１、ＵＳＢＩ／Ｆ１１５、ネットワークＩ／Ｆ１１８を含み、各部はシステムバス１０５を介して接続されている。ＣＰＵ１０２は、各種制御プログラムに従って上記各部の動作を総括的に制御する。各種制御プログラムは、ＲＯＭ１０４のプログラムＲＯＭに記憶されており、ＣＰＵ１０２がその制御プログラムを読み出して実行する。或いは、ＲＯＭ１０４のプログラムＲＯＭに記憶された圧縮されたデータをＲＡＭ１０３へ伸張、展開することにより実行される。また、図示しないハードディスクドライブ（ＨＤＤ）に前述の各種制御プログラムを圧縮状態／非圧縮状態で格納しておき、実行時にＲＡＭ１０３に展開して実行してもよい。
【００２１】
ネットワークＩ／Ｆ１１８は、ネットワーク（例えばＬＡＮ）１２０などを介してホストコンピュータ（情報処理装置）２００（図中、ＰＣ）との通信処理を行う。ネットワークＩ／Ｆ１１８とネットワーク網１２０とは、ＬＡＮケーブル１１９などの通信ケーブルで接続される。ＭＯＤＥＭ（モデム）１１１は、回線Ｉ／Ｆ１１２を介して公衆回線網１１４と接続し、図示しない他の画像形成装置やファクシミリ装置、電話機などと通信処理を行う。回線Ｉ／Ｆ１１２と公衆回線網１１４とは、一般的に電話線１１３などで接続される。またＰＣ２００はＵＳＢケーブル１１６を介して画像形成装置１００と接続されてもよいし、無線通信等によって通信可能になっていてもよい。
【００２２】
印刷部Ｉ／Ｆ１０６は、印刷部１０７（プリンタエンジン）に画像信号を出力するインターフェースを担う。また、読取部Ｉ／Ｆ１０８は、読取部１０９（スキャナエンジン）から、原稿を読み取って得られた画像信号を入力するインターフェースを担う。ＣＰＵ１０２は、読取部Ｉ／Ｆ１０９より入力された画像信号を処理し、印刷用の画像信号として印刷部Ｉ／Ｆ１０６へ出力する。
【００２３】
またＣＰＵ１０２は、ＲＯＭ１０４のフォントＲＯＭに記憶されたフォント情報を用いて、操作パネル１１０の表示部に文字や記号を表示したり、ユーザの指示を受けた操作パネル１１０からの指示情報を受けたりする。また、ＲＯＭ１０４のデータＲＯＭには、ＣＰＵ１０２によって画像形成装置１００の装置情報や、ユーザの電話帳情報、部門管理情報などが記憶され、ＣＰＵ１０２により必要に応じて読み出され、必要に応じて更新される。
【００２４】
尚、図１では、読取部１０９及び印刷部１０７を複写機１００の内部にある構成としたが、それぞれもしくは両方とも外部にある構成でもよい。
【００２５】
ＰＣ２００はＣＰＵ２０１を有し、ＣＰＵ２０１は、プログラムを実行してＰＣ２００の各部を制御する。外部Ｉ／Ｆ２０２は、他の装置と通信を行う。メモリ２０３は、外部Ｉ／Ｆ２０２を通して入力されたデータを蓄積したり、外部Ｉ／Ｆ２０２０を通して送出するデータの一時格納を行う。画像処理アプリケーション２１０は、プロファイルＤＢ２２０の設定に応じた画像処理やプロファイルデータの管理を行う。
【００２６】
図２は、実施形態１に係る画像形成装置の操作パネル１１０の上面図である。
【００２７】
２１１から２１４はそれぞれ「コピー」「ファックス」「スキャン」「メディアプリント」各ジョブのファンクションキーである。これらキーのいずれかが押下されることにより、そのジョブの基本画面に遷移する。選択されているファンクションは、対応するファンクションキーが点灯することにより明示される。
【００２８】
２１５はＯＫキーであり、項目の選択時に使用する。２１６から２１９は上下左右の矢印キーであり、項目の移動に使用する。２２４は表示部（ＬＣＤ）であり、操作画面を表示する。白黒のスタートキー２２１は、押下可能な状態ではスタートキーが点灯し、モノクロでのコピーや原稿の読取、ファクシミリ送信などの開始を指示するのに使用される。またカラーのスタートキー２２２は、押下可能な状態ではスタートキーが点灯し、カラーでのコピーや原稿の読取の開始を指示するのに使用される。ファクシミリ送信時は白黒のスタートキー２２１のみが点灯する。ストップキー２２３は、ジョブの停止などを指示するのに使用される。
【００２９】
図３（Ａ）〜（Ｄ）は、画像形成装置１００の操作パネル１１０の表示部２２４に表示されるＦＡＸ機能の画面の例を示す図である。
【００３０】
図３（Ａ）は、操作パネル１１０の表示部２２４に表示されるファクシミリ機能の画面の一例を示す図である。
【００３１】
図３（Ａ）はファクシミリの基本画面を示し、５行から構成され、最初の１行目に現在の状態を表示する。２行目には現在の日時を表示する。３行目は、ファクシミリ送信の宛先の入力箇所であり、ＯＫキー２１５の押下で宛先が入力可能となる。４行目から５行目は、ファクシミリジョブに指定可能な動作モード項目３０１を表示する。表示しきれない場合は、画面のスクロールを指示するためのスクロールバー３０２を右端に表示する。
【００３２】
図３（Ｂ）は、ファクシミリ機能の動作モード項目の一つである受信モードの画面例を示す。カーソルによりＰＣ受信モード（ＰＣ転送モード）３１１が指定されている。図３（Ｂ）の状態でＯＫキー２１５が押下されると、ＰＣ転送モードの選択画面（図３（Ｃ））へ遷移する。
【００３３】
尚、このＰＣ転送モードでは、ファクシミリ受信したデータを、登録されているＰＣへ転送する。ファクシミリデータの転送完了後、受信データは画像形成装置１００のメモリから削除される。
【００３４】
図３（Ｃ）は、ＰＣ転送モードにおけるＰＣの選択画面例を示す。ネットワーク障害やドライバ設定の不備があった場合は、ＰＣの名称などが画面に表示されない。ポーリングパケットの受信を検知したＰＣのみの名前が表示される。図３（Ｃ）では、転送先のＰＣとして「Ｈｏｓｔ１」が選択されている。
【００３５】
図３（Ｄ）は、転送先のホストＰＣを選択して設定を完了した後のポップアップ画面例を示している。
【００３６】
図４（Ａ）〜（Ｃ）は、実施形態に係る画像形成装置における通信管理設定のための画面例を示す図である。
【００３７】
図４（Ａ）は、メニュー画面を示し、システム管理設定４０１がメニュー項目中に表示される。
【００３８】
図４（Ｂ）は、システム管理設定画面の一例を示し、通信管理設定４１１がシステム管理の項目中に表示される。この画面においてＯＫキー２１５が押下されると、通信管理設定画面（図４（Ｃ））へと遷移する。
【００３９】
図４（Ｃ）は、通信管理設定画面例を示し、ファックス受信設定とメモリ受信設定４２１が項目中に表示される。
【００４０】
図５（Ａ）（Ｂ）は、メモリ受信設定の画面例を示す図である。
【００４１】
図５（Ａ）は、メモリ受信設定の画面例を示し、いま「ＯＮ」５３１にカーソルを合わせてＯＫキー２１５を押下すると、メモリ受信設定の図５（Ｂ）の詳細画面へと遷移する。
【００４２】
図５（Ｂ）は、メモリ受信設定の詳細設定画面例を示す図である。図示のように、２行目の確定５４１を選択し、ＯＫキー２１５を押下するとメモリ受信が設定される。
【００４３】
図６（Ａ）〜（Ｆ）は、本実施形態に係るメモリ受信モードの解除時の画面例を示す図である。
【００４４】
図６（Ａ）は、メモリ受信設定の画面である。ここでは「ＯＦＦ」６３２にカーソルを移動してＯＫキー２１５を押下することにより、メモリ受信設定が解除される。
【００４５】
図６（Ｂ）は、図６（Ａ）でメモリ受信設定が解除されたときに、画像形成装置１００のメモリに受信データが格納されていた場合に表示されるポップアップ画面例を示す。ここでは、受信データが存在しているため、その受信データの出力先を指定することを促すメッセージが表示されている。
【００４６】
図６（Ｃ）は、図６（Ｂ）の表示後に、データの送信先（出力先）を表示する画面（全ての出力先を指定可能）例を示す。図６（Ｃ）では、データの出力先として用紙を選択し「確定」６４１を更に選択することにより、データ出力先が用紙に決定される。
【００４７】
図６（Ｄ）は、図６（Ｂ）の表示後に、データの転送先（出力先）を表示する画面（外部メモリ退避不可能な場合）例を示す図である。図６（Ｄ）では、データ転送先としてＰＣが選択されており、「確定」６５１を更に選択することにより、データの転送先がＰＣに決定される。尚、出力先として選択できない場合は、その名称（図では、「外部メモリ退避」）をグレーアウトで表示する（６５２）。
【００４８】
図６（Ｅ）は、図６（Ｂ）の表示後に、データの転送先を表示する画面（全ての転送出力先を指定可能）例を示す図である。ここでは、データの転送先として、外部メモリ退避６６１が指定されている。
【００４９】
図６（Ｆ）は、図６（Ｂ）の表示後に、データの転送先を表示する画面（データ転送出力先が無い場合）例を示す図である。ここでは、６７１で示すように、全ての転送先がグレーアウトされて表示さている。この場合、エラー表示をポップアップで通知しても良い。尚、エラー通知方法は任意である。
【００５０】
図７（Ａ）〜（Ｅ）は、図６（Ｃ）〜（Ｆ）に対応したメモリ受信モード解除時のポップアップ画面例を示す図である。
【００５１】
図７（Ａ）は、図６（Ｃ）に対応するポップアップ画面で、全てのデータを印刷中であることを示すメッセージが表示されている。図７（Ｂ）は、図６（Ｄ）に対応するポップアップ画面で、全てのデータをＰＣに転送中であることを示すメッセージが表示されている。図７（Ｃ）は、図６（Ｅ）に対応するポップアップ画面で、全てのデータを外部メモリ退避中であることを示すメッセージが表示されている。図７（Ｄ）は、図６（Ｆ）に対応するポップアップ画面で、データの転送先が指定できないため、メモリ受信モードを解除できないことを示すメッセージが表示されている。図７（Ｅ）は、メモリ受信モードを解除できたことを示すメッセージを表示する画面例を示す。
【００５２】
図８は、実施形態に係る画像形成装置１００において、受信したＦＡＸをＰＣに転送するモードを設定する処理を説明するフローチャートである。この処理を実行するプログラムは、ＲＯＭ１０４のプログラムＲＯＭに記憶されており、ＣＰＵ１０２の制御の下に実行される。
【００５３】
この処理は画像形成装置１００の電源投入により開始され、まずＳ８０１で、操作部パネル１１０のファクシミリキー２１２が押下されると、ファクシミリ機能のトップ画面（図３（Ａ）)を表示する。次にＳ８０２で、ファクシミリ機能トップ画面のメニュー項目の中から受信モードの設定画面（図３（Ｂ））を表示する。そしてＳ８０３に進み、この受信モードの設定画面の項目の中から「ＰＣ受信」３１１が選択されてＯＫキー２１５が押下されると、ファクシミリ受信したデータをＰＣに転送するＰＣ転送モードが設定される。次にＳ８０４に進み、図３（Ｃ）に示す、転送先のＰＣを選択するための画面を表示する。ここでは、画像形成装置１００と接続されているＰＣの一覧が表示されるので、ユーザはその一覧から一つのＰＣを選択する。尚、画像形成装置１００は、接続されているＰＣに対して定期的にポーリングを行っており、ポーリングパケットの受信を検知したＰＣだけが表示部２２４に表示される。そしてＳ８０５に進み、その選択されたＰＣとの通信を確立し、通信が確立できれば処理を終了し、そうでないときはＳ８０７に進んで、通信エラーが発生した旨を表示してＳ８０２に進む。
【００５４】
このようにして、受信したＦＡＸをＰＣに転送するモードの設定、及び、転送先となるＰＣを指定することができる。
【００５５】
図９は、本実施形態に係る画像形成装置におけるメモリ受信を設定する処理を説明するフローチャートである。この処理を実行するプログラムは、ＲＯＭ１０４のプログラムＲＯＭに記憶されており、ＣＰＵ１０２の制御の下に実行される。
【００５６】
この処理は画像形成装置１００の電源投入により開始され、まずＳ９０１で、操作パネル１１０の表示部２２４にメニュー画面（図４（Ａ）)を表示する。次にＳ９０２に進み、ユーザはこのメニュー画面の項目の中から「システム管理設定」４０１を選択してＯＫキー２１５を押下する。これにより図４（Ｂ）に示すシステム管理設定画面を表示する。ここで、このシステム管理設定の項目の中から「通信管理設定」４１１が選択されてＯＫキー２１５が押下されると、図４（Ｃ）に示す通信管理設定画面を表示する（Ｓ９０３）。次にＳ９０４で、通信管理設定画面の項目中の「メモリ受信設定」４２１が選択されると、図５（Ａ）に示すメモリ受信設定画面を表示する。
【００５７】
Ｓ９０５では、図５（Ａ）のメモリ受信の設定画面でＯＮ、ＯＦＦ設定のどちらかを選択するように提示する。ここでＯＮが指定されるとＳ９０６に進み、図５（Ｂ）のメモリ受信設定画面を表示する。Ｓ９０７では、カーソルにより「確定」５４１が指示されてＯＫキー２１５が押下されると、メモリ受信モードの設定を完了する。一方、Ｓ９０５で、「ＯＦＦ」が指定されると、メモリ受信の設定解除処理を実行する。
【００５８】
このようにして、画像形成装置１００の操作パネル１００を使用して、メモリ受信モードを設定することができる。
【００５９】
図１０は、本実施形態に係る画像形成装置１００におけるファクシミリ受信処理を説明するフローチャートである。この処理を実行するプログラムは、ＲＯＭ１０４のプログラムＲＯＭに記憶されており、ＣＰＵ１０２の制御の下に実行される。
【００６０】
この処理は画像形成装置１００の電源投入により開始され、まずＳ１００１で、ファクシミリデータの受信を検知する。次にＳ１００２に進み、受信したファクシミリデータをメモリに保存する。次にＳ１００３に進み、メモリ受信の設定を確認し、設定されていなければＳ１００４に進み、受信モード設定に応じてファクシミリデータを出力する。一方Ｓ１００４で、メモリ受信が設定いると判定するとＳ１００５に進み、メモリにデータを保持したまま、その受信データを出力せずにＳ１００に進み、次の受信データを待つ。
【００６１】
図１１は、実施形態に係る画像形成装置による画像出力処理を説明するフローチャートである。この処理を実行するプログラムは、ＲＯＭ１０４のプログラムＲＯＭに記憶されており、ＣＰＵ１０２の制御の下に実行される。
【００６２】
まずＳ１１０１で、公衆回線網１１４からの回線Ｉ／Ｆ１１３を介して受信されるファクシミリデータの受信を待つ。ファクシミリデータを受信するとＳ１１０２に進み、メモリ（ＲＡＭ１０３）に、その受信したファクシミリデータを保存する。次にＳ１１０３に進み、ファクシミリデータをＰＣに転送するＰＣ転送モードが設定されているかどうかを判定し、ＰＣ転送モードが設定されていなければＳ１１０４に進み、そのファクシミリデータを印刷部１０７で印刷する。一方、Ｓ１１０３で、ＰＣ転送モードが設定されている場合はＳ１１０６に進み、その記憶しているファクシミリデータを、図３で説明したようにして、予め設定されているＰＣへ送信する。こうしてＳ１１０５で、後続するジョブがなければ、ジョブを終了する。
【００６３】
図１２は、本実施形態に係るＰＣの処理を説明するフローチャートである。この処理を実行するプログラムは、メモリ２０３に展開されており、ＣＰＵ２０１の制御の下に実行される。
【００６４】
まずＳ１２０１で、画像形成装置１００からのアクセス要求（イベント）を待つ。イベントが発生するとＳ１２０２に進み、画像形成装置１００からのファクシミリデータの受信かどうかを判定する。ファクシミリデータの受信でない場合はＳ１２０１に戻る。ファクシミリデータの受信であればＳ１２０３に進み、その受信データをメモリ２０３に格納する。そしてプロファイルＤＢ２２０にアクセスして、ＰＣ転送モード設定のプロファイル情報を検索する。次にＳ１２０４に進み、画像処理アプリケーション２１０が、その受信データに対してプロファイル情報に基づいた画像処理を行い、その処理済の画像データを指定された場所へ保存する。
【００６５】
図１３は、実施形態１に係る画像形成装置において、ユーザがメモリ受信モードを解除するように指示した場合の処理を説明するフローチャートである。この処理を実行するプログラムは、ＲＯＭ１０４のプログラムＲＯＭに記憶されており、ＣＰＵ１０２の制御の下に実行される。この実施形態１では、メモリ受信モードでメモリに蓄積された全ての受信データを、所望の出力先へ一括送信する。
【００６６】
まずＳ１３０１で、図６（Ａ）のメモリ受信設定画面において「ＯＦＦ」が選択されてメモリ受信設定の解除要求が発行される。これによりＳ１３０２に進み、メモリ（ＲＡＭ１０３）にファクシミリデータが蓄積されているか否かを判断し、蓄積されていればＳ１３０３に進み、画像形成装置１００のステータスをチェックする。Ｓ１３０２で、ファクシミリデータが蓄積されていないときはＳ１３１３に進み、メモリ受信モードを解除する。
【００６７】
Ｓ１３０３に続いてＳ１３０４に進み、画像形成装置１００のステータスチェックの結果、その記憶しているファクシミリデータの印刷が可能かどうかを判断する。印刷が可能であればＳ１３０５に進み、プリントフラグ（ＲＡＭ１０３に設けている）をオンにしてＳ１３０６に進む。一方、Ｓ１３０４で印刷可能でないと判断されたときはＳ１３０６に進み、ＰＣに転送可能かどうかを判定する。転送可能であればＳ１３０７に進み、ＰＣ転送フラグ（ＲＡＭ１０３に設けている）をオンにしてＳ１３０８に進む。Ｓ１３０６でＰＣに転送できないと判断されたとき、あるいはＳ１３０７を実行した後、Ｓ１３０８に進み、外部メモリに退避可能かどうかを判定する。退避可能でないと判断されたときはＳ１３１０に進むが、退避可能であると判断されればＳ１３０９に進み、外部メモリ退避フラグ（ＲＡＭ１０３に設けている）をオンにする。
【００６８】
こうしてＳ１３１０に進み、上述した各フラグをチェックし、図６のように、フラグがオンである出力先を表示するように表示制御する（Ｓ１３１１）。ここで、オフであるフラグがあれば、そのフラグに対応する出力先をグレーアウトで表示して（図６（Ｄ）参照）、その出力先を選択できないようにする。これによりＳ１３１２で、ユーザは所望の出力先を選択すると、その指定された出力先に、その蓄積されているファクシミリデータを出力する。こうしてＳ１３１３に進み、メモリ受信モードを解除する。
【００６９】
以上説明したように本実施形態１によれば、メモリ受信モードで記憶したファクシミリデータを、ユーザが所望する出力先に出力することができる。また、画像形成装置で実行できない出力処理をユーザが誤って選択することを防ぐことができる。
【００７０】
［実施形態２］
次に本発明の実施形態２について説明する。この実施形態２では、メモリ受信モードでメモリに蓄積されたファクシミリデータを、各データ毎に出力先を指定して送信する場合を説明する。尚、この実施形態２にかかる画像形成装置１００、ＰＣ２００の構成は前述の実施形態１と同様であるため、その説明を省略する。
【００７１】
図１４は、実施形態２に係る画像形成装置において、ユーザがメモリ受信モードを解除するように指示した場合の処理を説明するフローチャートである。この処理を実行するプログラムは、ＲＯＭ１０４のプログラムＲＯＭに記憶されており、ＣＰＵ１０２の制御の下に実行される。
【００７２】
まずＳ１４０１で、図６（Ａ）のメモリ受信設定画面においてＯＦＦが選択されると、メモリ受信設定の解除要求を発行する。次にＳ１４０２に進み、メモリ（ＲＡＭ１０３）にファクシミリデータが蓄積されているかを判断し、蓄積されていなければＳ１４０８に進むが、蓄積されていればＳ１４０３に進み、画像形成装置１００のステータスのチェック及び各種フラグの設定を行う。このＳ１４０３の処理は、前述の図１３のＳ１３０３〜Ｓ１３１０までの処理と同じであるため、ここではその説明を省略する。
【００７３】
次にＳ１４０４に進み、画像形成装置１００のステータス、及び各種フラグに基づいて、蓄積しているファクシミリデータを出力可能な出力先の一覧を操作パネル１１０の表示部２２４に表示する。ここまでは実施形態１と同じである。
【００７４】
次にＳ１４０５に進み、図１５（Ａ）に示す、データの一覧画面を表示する。こうしてＳ１４０５で、出力先が一つ選択されるとＳ１４０６で、その出力先に送信する受信データを選択するための画面を表示する。
【００７５】
図１５（Ａ）〜（Ｆ）は、実施形態２において、操作パネル１１０に表示される画面例を説明する図である。
【００７６】
図１５（Ａ）は、メモリに格納されている受信データを選択するための画面例を示す。この画面は、メモリ受信の解除が指示された後、受信データがメモリに蓄積されていた場合は、図６（Ｂ）のポップアップ画面が表示される。その画面が表示された後、蓄積されている受信ファイル（ファクシミリ受信データ）を個別に指定する場合に表示される画面である。１５０１は、用紙に印刷すると指定されているファクシミリデータ（ＦＡＸ−１）を示す。
【００７７】
図１５（Ｂ）は、メモリに蓄積されている受信データの中で、出力先が指定されていないデータが存在する場合に表示するポップアップ画面を示す。図１５（Ｃ）は、出力先が選択されていない受信データの出力先を指定する場合の出力先設定画面例を示す。ここでは、用紙出力１５１１は選択済なので、選択不可能（グレーアウト表示）となっている。図１５（Ｃ）では、ＰＣ転送１５１２が選択されている。しかしながら、各データに対して同じ出力先を設定できるようにすれば、図１５（Ｃ）のように、選択済の出力先を選択できないようにする必要はない。
【００７８】
図１５（Ｄ）は、図１５（Ｃ）で選択したＰＣ転送を行う受信データを選択する画面例を示す。既に出力先が確定されているデータ１５２１は、グレーアウトで表示される。それ以外のデータ１５２２は選択可能である。
【００７９】
図１５（Ｅ）は、図１５（Ｄ）でＰＣ転送を指定したデータ１５２２を、図１５（Ａ）の画面に追加した受信データ一覧画面を示す。出力先の提示の仕方は特に問わない。
【００８０】
図１５（Ｆ）は、図１５（Ａ）〜図１５（Ｅ）ののようにして、全ての受信データの出力先が確定し、その記憶されている受信データを実際に出力している間に表示されるポップアップ画面（実行中画面）例を示す。
【００８１】
再び図１４に戻り、こうして各データの出力先が決定されるとＳ１４０７で、メモリに蓄積されている全ての受信データの出力先が指定されたか否かを判断する。全てのデータの出力先が指定されていないときはＳ１４０４に戻って、前述の処理を繰り返す。
【００８２】
こうして全ての受信データの出力先が指定されるとＳ１４０８に進み、それぞれの受信データを、それぞれ指定された出力先に出力する。こうして出力が完了するとメモリ受信モードを解除する。
【００８３】
以上説明したように本実施形態２によれば、蓄積されている各受信データごとに、その出力先を指定して、その指定した出力先に受信データを出力することができる。
【００８４】
尚、上述の実施形態では説明していないが、受信データ出力せずにメモリから削除することも、一つの選択肢として設けても良い。またデータ出力先の一覧の表示は、実施形態に限定されない。
【００８５】
図１６は、図１４のＳ１４０３のステータスチェックに基づく操作パネル１１０への表示例を説明する図である。
【００８６】
「用紙出力」に関して、画像形成装置１００が印刷可能な状態か否かを判定し、可能であれば「プリントＯＫ」、そうでないときは「プリントＮＧ」となる。また「ＰＣ転送」に関しては、データを転送可能なＰＣが選択可能か否かを判定し、可能であれば「可能」、そうでないときは「不可能」となる。更に「外部メモリ退避」に関しては、外部メモリの接続有無を判定し、可能であれば「退避可能」、そうでないときは「退避不可能」となる。これらの判定結果に基づいて、操作部１１０の表示部２２４に表示する出力先一覧を決定する。
【００８７】
例えば、「プリントＮＧ」、「ＰＣ転送不可能」、「退避不可能」であれば、その受信データをメモリに保持したままにする。また「プリントＮＧ」、「ＰＣ転送不可能」、「退避可能」であれば、その受信データを外部メモリに退避するように表示する。以下同様にして、受信データの出力が可能な出力先を、出力先一覧として操作部１１０の表示部２２４に表示する。
【００８８】
（その他の実施例）
上記実施例における画面表示は一例であり、これに限定されるものではない。例えば、上記実施例の説明における、“グレーアウト表示”に代えて“非表示”としたり、その他の表示方法によってユーザに選択させないようにしてもよい。
【００８９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
0005792993.tif 000002
【図２】
0005792993.tif 000003
【図３】
0005792993.tif 000004
【図４】
0005792993.tif 000005
【図５】
0005792993.tif 000006
【図６】
0005792993.tif 000007
【図７】
0005792993.tif 000008
【図８】
0005792993.tif 000009
【図９】
0005792993.tif 000010
【図１０】
0005792993.tif 000011
【図１１】
0005792993.tif 000012
【図１２】
0005792993.tif 000013
【図１３】
0005792993.tif 000014
【図１４】
0005792993.tif 000015
【図１５】
0005792993.tif 000016
【図１６】
0005792993.tif 000017